(57)【要約】      （修正有）【課題】装飾性に優れると共に、変形させても復元力のある紐材及びこれに挿通できる留具とを有するアクセサリを提供する。【解決手段】アクセサリ１は、延伸可能な第１のゴム芯、及び、第１のゴム芯を被覆するように糸を編んで形成された第１の被覆層、を有する第１の紐材２と、第１の紐材を挿通できる挿通孔３ｈを有する留具３と、を有し、第１の紐材は、第１の被覆層が第１のゴム芯の表面から浮き上がるように形成された複数の係止瘤２１ａを有し、隣接された２つの係止瘤で留具が係止されるように、挿通孔が係止瘤の外形より狭く形成されている。【選択図】図１
0003199911.tif 000002
【実用新案登録請求の範囲】
【請求項１】
延伸可能な第１のゴム芯、及び、前記第１のゴム芯を被覆するように糸を編んで形成された第１の被覆層、を有する第１の紐材と、
前記第１の紐材を挿通できる挿通孔を有する留具と、を有し、
前記第１の紐材は、前記第１の被覆層が前記第１のゴム芯の表面から浮き上がるように形成された複数の係止瘤を有し、
隣接された２つの前記係止瘤間で前記留具が係止されるように、前記挿通孔が前記係止瘤の外形より狭く形成されていることを特徴とするアクセサリ。
【請求項２】
前記留具は、延伸可能な第２のゴム芯、及び、前記第２のゴム芯を被覆するように糸を編んで形成された第２の被覆層、を有する第２の紐材を編み込んで形成されている請求項１に記載のアクセサリ。
【請求項３】
前記留具は、その外形が略球形状に形成されるとともに、前記第２の紐材の編目が連通されて前記挿通孔とされている請求項２に記載のアクセサリ。
【請求項４】
前記留具は、延伸可能な第３のゴム芯、及び、前記第３のゴム芯を被覆するように糸を編んで形成された第３の被覆層、を有する第３の紐材が、螺旋形状に形成されるとともに、その螺旋中心に前記挿通孔を有する請求項１に記載のアクセサリ。
【請求項５】
前記第１の被覆層は、マルチフィラメントの仮撚加工糸で形成されている請求項１に記載のアクセサリ。
【請求項６】
前記第１の被覆層は、マルチフィラメントの仮撚加工糸で形成されている請求項３に記載のアクセサリ。
【請求項７】
前記第１の被覆層は、マルチフィラメントの仮撚加工糸で形成されている請求項４に記載のアクセサリ。
【請求項８】
前記留具は１つの挿通孔を有し、前記第１の紐材の両端は引き揃えて挿通されている請求項１乃至７のうちのいずれかに記載のアクセサリ。
【請求項９】
装飾具である請求項１乃至８のうちのいずれかに記載のアクセサリ。
【請求項１０】
ネックレスである請求項９に記載のアクセサリ。
【請求項１１】
イヤリングである請求項９に記載のアクセサリ。
【考案の詳細な説明】
【技術分野】
【０００１】
本考案はアクセサリに関する。更に詳しくは、本考案は紐材及びこれを挿通できる留具を有するアクセサリに関する。
【背景技術】
【０００２】
飾りを配したネックレスなどのアクセサリでは、例えば、個々の金属環を連設して環状にしたチェーン部と、これに挿通してチェーン部を自在に位置できるようにされた装飾飾りとを配したネックレスが多く知られている。このようなネックレスの多くは金属で形成されているため、例えば、金属アレルギー等と称されるように、金属を肌に直接接して装着することが困難な場合には装着ができない。また、金属から形成されるために高価であり、手軽に楽しむことが難しいという側面もある。更に、これらの金属製のチェーン部を有するネックレスは、容易には破断されないため、引っ張られたり、引っ掛かったりした場合に転倒したり、首の表面を傷付けることなどがある。
ここで、延伸自在なゴム状芯体の表面に網目状に巻かれた複数のフィルム状帯状体と、ゴム状芯体にフィルム状帯状体と交互に編み込むように巻かれたモノフィラメントと、を備えた紐として特許文献１が開示されている。
【先行技術文献】
【特許文献】
【０００３】
【特許文献１】特開２００５−３５０７８９
【考案の概要】
【考案が解決しようとする課題】
【０００４】
特許文献１に記載の紐は、複数のフィルム状帯状体により、装飾性を出すことができるとともに、モノフィラメントがゴム状芯体にフィルム状帯状体と交互に編み込むように巻かれているので、紐を引っ張っても曲げてもフィルム状帯状体が伸びきってしまうことなく、紐は、元に戻る復元力を有する点で優れている。そして、この紐は、ネックレス等の装身具として利用可能であることが記載されている（特許文献１の段落［００１９］）。しかしながら、１本の長尺状の紐を具体的にどのようにしてネックレス等として利用できるのかについては記載がない。
【０００５】
本考案は、前記の従来の技術に鑑みてなされたものであり、ゴム芯を有して延伸可能である紐材をループ状に維持して利用できるアクセサリを提供することを目的とする。
【課題を解決するための手段】
【０００６】
本考案は以下のとおりである。
１．延伸可能な第１のゴム芯、及び、前記第１のゴム芯を被覆するように糸を編んで形成された第１の被覆層、を有する第１の紐材と、
前記第１の紐材を挿通できる挿通孔を有する留具と、を有し、
前記第１の紐材は、前記第１の被覆層が前記第１のゴム芯の表面から浮き上がるように形成された複数の係止瘤を有し、
隣接された２つの前記係止瘤間で前記留具が係止されるように、前記挿通孔が前記係止瘤の外形より狭く形成されていることを特徴とするアクセサリ。
２．前記留具は、延伸可能な第２のゴム芯、及び、前記第２のゴム芯を被覆するように糸を編んで形成された第２の被覆層、を有する第２の紐材を編み込んで形成されている１．に記載のアクセサリ。
３．前記留具は、その外形が略球形状に形成されるとともに、前記第２の紐材の編目が連通されて前記挿通孔とされている２．に記載のアクセサリ。
４．前記留具は、延伸可能な第３のゴム芯、及び、前記第３のゴム芯を被覆するように糸を編んで形成された第３の被覆層、を有する第３の紐材が、螺旋形状に形成されるとともに、その螺旋中心に前記挿通孔を有する１．に記載のアクセサリ。
５．前記第１の被覆層は、マルチフィラメントの仮撚加工糸で形成されている１．に記載のアクセサリ。
６．前記第１の被覆層は、マルチフィラメントの仮撚加工糸で形成されている３．に記載のアクセサリ。
７．前記第１の被覆層は、マルチフィラメントの仮撚加工糸で形成されている４．に記載のアクセサリ。
８．前記留具は１つの挿通孔を有し、前記第１の紐材の両端は引き揃えて挿通されている１．乃至７．のうちのいずれか１項に記載のアクセサリ。
９．装飾具である１．乃至８．のうちのいずれか１項に記載のアクセサリ。
１０．ネックレスである９．に記載のアクセサリ。
１１．イヤリングである１０．に記載のアクセサリ。
【考案の効果】
【０００７】
本考案のアクセサリによれば、延伸可能な第１の紐材（以下、単に「第１紐材」ともいう）を、留具を利用してループ状に維持して利用することができる。
即ち、本考案のアクセサリは延伸可能な第１のゴム芯（以下、単に「第１ゴム芯」ともいう）、及び、第１ゴム芯を被覆するように糸を編んで形成された第１の被覆層（以下、単に「第１被覆層」ともいう）を有する第１紐材を備える。このため、第１紐材は、軟質で伸縮性を有し、変形させても復元力を有することができる。また、本考案のアクセサリの留具は、第１紐材を挿通できる挿通孔を有する。このため、この留具が飾り部材として装飾的な効果を奏しながら、第１紐材をループ状に維持して利用できる。更に、第１被覆層は、第１ゴム芯の表面から浮き上がるように形成された複数の係止瘤を有し、隣接された２つの係止瘤間で留具が係止されるように、挿通孔が係止瘤の外形より狭く形成されている。このため、留具を所望の隣接された２つの係止瘤間で係止でき、第１紐材のループを所望の大きさを維持して利用することができる。
【０００８】
本考案のアクセサリにおいて、留具が、延伸可能な第２のゴム芯（以下、単に「第２ゴム芯」ともいう）、及び、第２ゴム芯を被覆するように糸を編んで形成された第２の被覆層（以下、単に「第２被覆層」ともいう）、を有する第２の紐材（以下、単に「第２紐材」ともいう）を編み込んで形成されている場合には、留具に柔軟性を与え、必要に応じて挿通孔を拡大できる。これにより、係止瘤間での係止力を維持しながら、スムーズに係止瘤間で留具を移動させることができ、第１紐材のループの大きさをよりスムーズに変更することができる。
本考案のアクセサリにおいて、留具の外形が略球形状であるとともに、第２紐材の編目が連通されて挿通孔とされている場合には、留具を飾り玉として利用でき、装飾効果を高めることができる。
本考案のアクセサリにおいて留具が、延伸可能な第３のゴム芯（以下、単に「第３ゴム芯」ともいう）、及び、第３ゴム芯を被覆するように糸を編んで形成された第３の被覆層（以下、単に「第３被覆層」ともいう）、を有する第３の紐材（以下、単に「第３紐材」ともいう）が、螺旋形状に形成されるとともに、その螺旋中心に挿通孔を有する場合には、第１紐材の外表面と、留具の内側、即ち、挿通孔の内表面との接触面積を増大させて、より強固に留具を第１紐材の係止瘤間で固定することができる。
本考案のアクセサリにおいて、第１被覆層が、マルチフィラメントの仮撚加工糸で形成されている場合には、係止瘤を第１ゴム芯の表面から浮き上がらせやすく、係止瘤を形成し易くできる。更に、係止瘤に柔軟性を持たせることができる。
本考案のアクセサリにおいて、留具が１つの挿通孔を有し、紐材の両端は引き揃えて挿通されている場合には、留具の移動によってスムーズに第１紐材のループの大きさを変更できる。
【図面の簡単な説明】
【０００９】
【図１】実施例１のアクセサリとしてのネックレスの斜視図である。
【図２】図１のＡ−Ａ断面図である。
【図３】図２のＢ−Ｂ断面図である。
【図４】実施例１及び２に係るアクセサリを着用した例を示す斜視図である。
【図５】実施例２のアクセサリとしてのイヤリングの斜視図である。
【図６】実施例３のアクセサリとしてのブレスレットの斜視図である。
【図７】図６のＣ−Ｃ断面図である。
【考案を実施するための形態】
【００１０】
以下、本考案に係るアクセサリを具体的に説明する。
本考案に係るアクセサリは、延伸可能な第１ゴム芯と、この第１ゴム芯を被覆するように糸を編んで形成された第１被覆層と、を有する第１紐材を備える。
更に、第１紐材を挿通できる挿通孔を有する留具を備える。
そして、第１紐材は、第１被覆層が第１ゴム芯の表面から浮き上がるように形成された複数の係止瘤を有し、隣接された２つの係止瘤間で留具が係止されるように、挿通孔が係止瘤の外形より狭く形成されている。
【００１１】
前記「アクセサリ」は、装飾目的や、日常利用する目的で使用する物品である。具体的には、ネックレス、イヤリング、ピアス、カフスボタン、ブレスレット、タイピン、ヘアバンド（髪結び）、ティアラ、ループタイ、指輪などの着用する装飾具、及び、ストラップ（腕掛け用のストラップ、首掛け用のストラップ等）、キーホルダー、ファスナの留め具に結びつける飾り、数珠、水引きとしての利用等が例示される。
例えば、図１に示すアクセサリ１は、ネックレスであり、第１の紐材２と、第１の紐材２を挿通できる挿通孔３ｈを有する留具３と、を有する。
【００１２】
［１］第１紐材
前記「第１紐材」は、例えば図２に示す第１紐材２のように、延伸可能な第１ゴム芯２５、及び、第１ゴム芯２５を被覆するように糸を編んで形成される第１被覆層２１を有する。
前記「第１ゴム芯」は、延伸可能な紐材用のゴム芯であれば特に限定はなく、１本のゴム糸でもよいし、複数のゴム糸状体（ゴムでできた糸）を束ねたものであってもよい。また、材質は、天然ゴムでも合成ゴム（ＳＢＲ、ＮＢＲ、ウレタンゴム等）でもよく、好適な例を挙げれば、天然ゴム製のものが好ましい。
前記「延伸可能」とは、引っ張って伸ばすことができるとともに、引っ張り力を開放すると、実質的に元の長さに戻ることを意味する。
【００１３】
第１ゴム芯２５を構成する１本のゴム糸からなるゴム芯、又は、複数本全体からなるゴム芯の横断面の径（最大径）は、例えば、０．５〜２ｍｍとすることができ、０．８〜１．２ｍｍが好ましい。
また、このゴム状芯の横断面形状、即ち、１本のゴム糸の場合はそのゴム糸の横断面形状、複数のゴム糸状体を束ねたゴム芯の場合はその全体の横断面形状、は特に限定されず、円形や四角形（正方形又は長方形等）、五角形、六角形等とすることができる。それらのうち、円形、正方形又は長方形が好ましい。また、複数のゴム糸状体のこの各糸状体の横断面形状も、上記の如く種々の形状のものとすることができ、更に異なった横断面形状の糸状体を組み合わせて用いることもできる。
【００１４】
前記「第１被覆層」は、例えば図２に示す第１被覆層２１のように、第１ゴム芯２５を被覆するように糸を編んで形成されている。第１被覆層２１は、第１ゴム芯２５の表面から浮き上がるように形成された複数の係止瘤２１ａを有している。即ち、係止瘤２１ａは、第１ゴム芯２５の表面から第１被覆層２１が浮き上がることにより形成された部位である。通常、係止瘤２１ａは、側面視した場合に、略ラグビーボール形状とされている。即ち、緊縮捲回部２１ｂにおいて、第１被覆層２１の外表面の最大径が最も小さくなり、この緊縮捲回部２１ｂからなだらかに断面径（第１被覆層２１の外表面の最大径）が大きくされ、最大外径から、また、なだらかに断面径が小さくされて、緊縮捲回部２１ｂに至る繰り返しによって形成されている。従って、第１紐材２においては、係止瘤２１ａと緊縮捲回部２１ｂとが交互に配置されることとなる。
【００１５】
係止瘤２１ａの大きさは特に限定されないが、例えば、緊縮捲回部２１ｂの最大外径（円形でない場合には最大長さ）をＸ（ｍｍ）とし、係止瘤２１ａの最大外径（円形でない場合には最大長さ）をＹ（ｍｍ）とした場合に、その比（Ｙ／Ｘ）は１．４０≦Ｙ／Ｘ≦３．００であることが好ましい。この比は、１．６０≦Ｙ／Ｘ≦２．５３がより好ましく、１．７３≦Ｙ／Ｘ≦２．３３が特に好ましい。１．４０≦Ｙ／Ｘとすることによって、係止瘤２１ａとしての機能を十分に発揮させるとともに、Ｙ／Ｘ≦３．００とすることによって、必要以上に係止瘤２１ａが大きくなることを防止してアクセサリとしての美感及び使い易さを得ることができる。
【００１６】
更に、緊縮捲回部２１ｂの最大外径をＸ（ｍｍ）及び係止瘤２１ａの最大外径をＹ（ｍｍ）は、各々具体的には限定されないが、例えば、１．５０≦Ｘ≦２．５０とすることができ、１．７０≦Ｘ≦２．３０が好ましく、１．８０≦Ｘ≦２．２０がより好ましい。一方、３．５０≦Ｙ≦４．５０とすることができ、３．７０≦Ｙ≦４．３０が好ましく、３．８０≦Ｙ≦４．２０がより好ましい。
【００１７】
係止瘤２１ａは、どのようにして形成されていてもよいが、通常、第１被覆層２１のうちの緊縮捲回部２１ｂから緩やかに編み込まれて第１ゴム芯２５の表面から浮き上がるように形成される。
第１被覆層２１を形成する糸は、特に限定はないが、マルチフィラメントの仮撚加工糸からなることが好ましい。「マルチフィラメント」とは、複数（少なくとも２本）の糸条を１本の糸条として集束させたものを意味する。
「仮撚加工糸」とは、ウーリー加工糸や嵩高加工糸とも呼ばれており、フィラメント糸に捲き縮を発生させ、嵩高性と伸縮性を持たせた糸である。
マルチフィラメントの仮撚加工糸であれば、糸を編んで浮き上がるように係止瘤を形成しやすい。糸の種類は特に限定はないが、ポリエステル製又はナイロン製のいずれか１種以上からなることが好ましい。
【００１８】
［２］留具
前記「留具」は、第１紐材２を挿通できる挿通孔３ｈを有する部材である。そして、隣接された２つの係止瘤２１ａ間で係止されるように、挿通孔３ｈが係止瘤２１ａの外形より狭く形成されている。この構成であれば形状は特に限定はなく、球状、立方体状、直方体状、円柱状、円筒状などが例示される。また材質も特に限定はなく、金属製、樹脂製、木製、繊維製等が例示される。
【００１９】
例えば図２に示す留具３は、延伸可能な第２紐材３０を編み込んで形成されている。編み込み方法により、種々の立体的形状を形成することができる。
留具３の場合は、その外形が略球形状に形成されるとともに、第２紐材３０の編目が連通されて挿通孔３ｈとすることができる。具体的には、第２紐材３０を編み込むと、略球形状に形成された留具３には、その外表面に複数の編目３ｋが配置されることとなる（図２参照）。留具３は、延伸可能な第２紐材３０で形成されているため、編目３ｋは詰まっており、外部から留具３の内部を視認できない程度であるが、必要な場合、所望の編目３ｋを広げることによって、第１紐材２を挿通する挿通孔３ｈとすることができる。
また、挿通孔３ｈは、図２に示すように、挿通孔３ｈの一方の開口と他方の開口とが対向されることによって、第１紐材２が留具３内で略直線となるようにしてもよい。更に、図示はされないが、挿通孔３ｈの一方の開口と他方の開口とが対向されず、第１紐材２が留具３内で湾曲される形態としてもよい。
【００２０】
留具３が備える挿通孔３ｈは、係止瘤２１ａの外形より狭く形成されている。これにより、隣接された２つの係止瘤２１ａ間で留具３を係止できるようになっている。挿通孔３ｈには、第１紐材２を何本挿通して利用してもよい。即ち、挿通孔３ｈに第１紐材２を１本のみ挿通して利用してもよく、挿通孔３ｈに第１紐材２を２本挿通して利用してもよく（図１参照）、更には、挿通孔３ｈに第１紐材２を３本以上挿通して利用してもよい。これらのなかでは、挿通孔３ｈに第１紐材２を２本挿通する形態（図１参照）が好ましい。
【００２１】
挿通孔３ｈは、係止瘤２１ａの外形より狭く形成されていればよく、その具体的な大きさは特に限定されない。例えば、挿通孔３ｈに第１紐材２を２本挿通する形態（図１参照）では、係止瘤２１ａの最大外径（円形でない場合には最大長さ）をＹ（ｍｍ）とし、挿通孔３ｈの非挿通時（留具２に第１紐材２を挿通していない状態）における最大開口径をＨ（ｍｍ）とした場合、比（２Ｙ／Ｈ）は、
１．４０≦２Ｙ／Ｈ≦３．００が好ましく、１．６１≦２Ｙ／Ｈ≦２．５３がより好ましく、１．６６≦２Ｙ／Ｈ≦２．３３が特に好ましい。
更に、具体的には、３．００≦Ｈ≦５．００が好ましく、３．５０≦Ｈ≦４．５０がより好ましく、３．８０≦Ｈ≦４．２０が特に好ましい。
【００２２】
前記「第２の紐材」は、例えば図３に示す第２紐材３０のように、延伸可能な第２ゴム芯３５、及び、第２ゴム芯３５を被覆するように糸を編んで形成された第２被覆層３１を有している。
そして、留具３は、隣接された２つの係止瘤２１ａ、２１ａ間で係止されるように、挿通孔３ｈの内径が係止瘤２１ａの外形より狭く形成されている。
具体的には、係止瘤２１ａの最大外径Ｙが４ｍｍであり、挿通孔３ｈの非挿通時における最大開口径Ｈを４ｍｍとした場合に、上述の比（２Ｙ／Ｈ）は２となる。
【００２３】
前記「第２ゴム芯」は、第１ゴム芯２５と同様に、延伸可能な紐材用のゴム芯であれば特に限定はないが、１本のゴム糸からなることが好ましい。また、材質は、天然ゴムでも合成ゴム（ＳＢＲ、ＮＢＲ、ウレタンゴム等）でもよく、好適な例を挙げれば、天然ゴム製のものが好ましい。
また、このゴム状芯体の横断面形状は、特に限定されず、円形や四角形（正方形又は長方形等）、五角形、六角形等でも良い。それらのうち、円形、正方形又は長方形が好ましい。
第２ゴム芯３５を構成する１本のゴム糸からなるゴム芯、又は、複数本全体からなるゴム芯の横断面の径（最大径）は、例えば、０．３〜１．５ｍｍとすることができ、０．５〜１．０ｍｍが好ましい。
【００２４】
前記「第２被覆層」は、糸を編んで形成されて、第２ゴム芯３５を被覆する部位である。例えば図３に示す第２被覆層３１のように、第２ゴム芯３５を被覆するように糸を編んで形成されている。
第２被覆層３１を形成する糸は、特に限定はないが、レーヨン（光沢レーヨン、非光沢レーヨン）、光沢ポリエステル、ウーリーナイロン等を利用することができる。例えば、光沢を有するレーヨンであれば、第２被覆層に光沢を付与でき、留具の装飾効果を一層際立たせることができる。
【００２５】
第２紐材３０の太さは特に限定されないが、第２紐材３０の太さが実質的に均一である場合、第２紐材３０の最大外径（円形でない場合には最大長さ）をＸ２（ｍｍ）とした場合、例えば、１．００≦Ｘ２≦２．００とすることができ、１．２０≦Ｘ２≦１．８０が
好ましく１．４０≦Ｘ２≦１．６０がより好ましい。
また、第１紐材２と第２紐材３０との太さの相関は特に限定されないが、第１紐材２の緊縮捲回部２１ｂの最大外径（円形でない場合には最大長さ）をＸ１（ｍｍ）とし、第２紐材３０の最大外径（円形でない場合には最大長さ）をＸ２（ｍｍ）とした場合、これらの比（Ｘ１／Ｘ２）は、０．７５≦Ｘ１／Ｘ２≦２．５０が好ましく、０．９４≦Ｘ１／Ｘ２≦２．０８がより好ましく、１．１８≦Ｘ１／Ｘ２≦１．５０が特に好ましい。
【００２６】
図６に示す留具７は、第３紐材７０が、螺旋形状に形成されるとともに、その螺旋中心に挿通孔７ｈを有するように形成されている。
前記「第３紐材」は、例えば図７に示す第３紐材７０のように、延伸可能な第３ゴム芯７５、及び、第３ゴム芯７５を被覆するように糸を編んで形成された第３被覆層７１を有する。更に被覆層７１の内部に紐部材７２を有している。
そして、留具７は、隣接された２つの係止瘤２１ａ、２１ａ間で係止されるように、挿通孔７ｈの内径が係止瘤２１ａの外形より狭く形成されている。
【００２７】
留具７が備える挿通孔７ｈは、係止瘤２１ａの外形より狭く形成されている。これにより、隣接された２つの係止瘤２１ａ間で留具７を係止できるようになっている。挿通孔７ｈには、第１紐材２を何本挿通して利用してもよい。即ち、挿通孔７ｈに第１紐材２を１本のみ挿通して利用してもよく、挿通孔７ｈに第１紐材２を２本挿通して利用してもよく（図６参照）、更には、挿通孔７ｈに第１紐材２を３本以上挿通して利用してもよい。これらのなかでは、挿通孔７ｈに第１紐材２を２本挿通する形態（図６参照）が好ましい。
【００２８】
挿通孔７ｈは、係止瘤２１ａの外形より狭く形成されていればよく、その具体的な大きさは特に限定されない。例えば、挿通孔７ｈに第１紐材２を２本挿通する形態（図６参照）では、係止瘤２１ａの最大外径（円形でない場合には最大長さ）をＹ（ｍｍ）とし、挿通孔３ｈの非挿通時（留具２に第１紐材２を挿通していない状態）における最大開口径をＨ（ｍｍ）とした場合、比（２Ｙ／Ｈ）は、１．１７≦２Ｙ／Ｈ≦２．２５が好ましく、１．３２≦２Ｙ／Ｈ≦１．９５がより好ましく、１．４０≦２Ｙ／Ｈ≦１．８２が特に好ましい。
更に、具体的には、４．００≦Ｈ≦６．００が好ましく、４．５０≦Ｈ≦５．５０がより好ましく、４．８０≦Ｈ≦５．２０が特に好ましい。
【００２９】
前記「第３のゴム芯」は、第１のゴム芯と同様、延伸可能な紐材用のゴム芯であれば特に限定はないが、複数本のゴム糸からなることが好ましい。図７に示すように、ゴム芯を複数並列に配置することで、後述するように、螺旋形状を形成しやすくすることができる。また、材質は、天然ゴムでも合成ゴム（ＳＢＲ、ＮＢＲ、ウレタンゴム等）でもよく、好適な例を挙げれば、天然ゴム製のものが好ましい。
第３のゴム芯それぞれの横断面の径は０．５〜１．５ｍｍ、好ましくは０．８〜１．２ｍｍとすることができる。
また、このゴム状芯体の横断面形状は、特に限定されず、円形や四角形（正方形又は長方形等）、五角形、六角形等でも良い。それらのうち、円形、正方形又は長方形が好ましい。
【００３０】
前記「第３の被覆層」は、例えば図７に示す第３の被覆層７１のように、第３のゴム芯７５を被覆するように糸を編んで形成されている。第３の被覆層７１は、３本の第３のゴム芯７５に編み込んで形成することができる。
このようにゴム芯７５を被覆層７１内部の径方向に偏在して形成することで、第３の紐材７０がゴム芯７５側に丸まって螺旋形状を形成することができる。
更に、第３被覆層７１の内部に紐部材７２を編み込むことで、更に螺旋形状を安定的に保持することができる。
第３被覆層７１を形成する糸は、特に限定はないが、ウーリーナイロンであることが好ましい。
【００３１】
第３紐材７０の太さは特に限定されないが、第３紐材７０の太さが実質的に均一である場合、第３紐材７０の最大外径（円形でない場合には最大長さ）をＸ３（ｍｍ）とした場合、例えば、２．５０≦Ｘ３≦３．５０とすることができ、２．７０≦Ｘ３≦３．３０が好ましく、２．９０≦Ｘ３≦３．１０がより好ましい。
また、第１紐材２と第３紐材７０との太さの相関は特に限定されないが、第１紐材２の緊縮捲回部２１ｂの最大外径をＸ１（ｍｍ）とし、第３紐材７０の最大外径をＸ３（ｍｍ）とした場合、これらの比（Ｘ１／Ｘ３）は、１．２５≦Ｘ１／Ｘ３≦３．５０が好ましく、１．５０≦Ｘ１／Ｘ３≦２．７５がより好ましく、１．８１≦Ｘ１／Ｘ３≦２．２１が特に好ましい。
【００３２】
更に、第３紐材７０は、例えば図７に示すように、その断面概形を略長方形とすることができる。即ち、第３ゴム芯７５を並列させて挿通孔７ｈの内側に偏在させることができる。この場合、第３紐材７０の断面における長手方向が、第１紐材２の長手方向に沿うように配置して巻回した螺旋形状にすることで、その螺旋中心に配置される挿通孔７ｈの内表面と、第１紐材２の外表面と、留具７の内側、即ち、挿通孔７ｈの内表面との接触面積を増大できる。そのため、強固に留具７を第１紐材の係止瘤２１ａ間で固定できる。
【実施例】
【００３３】
以下、本考案に係るアクセサリを具体化した実施例について説明する。
［１］アクセサリ１
図１に示すように、アクセサリ１は装飾具のネックレスとして具体化している。
アクセサリ１は、第１の紐材２と、第１の紐材２を挿通できる挿通孔３ｈを有する留具３と、を有する。
【００３４】
第１紐材２は、天然ゴム製の１本の第１ゴム芯２５、及び、第１ゴム芯２５を被覆するように糸を編んで形成される第１被覆層２１を有する。第１ゴム芯の横断面形状は略四角形で最大径は、１．０ｍｍである。
第１被覆層２１は、ナイロン製のマルチフィラメントの仮撚加工糸からなり、第１ゴム芯２５の表面から浮き上がるように形成された複数の係止瘤２１ａを有している。係止瘤２１ａは、側面視した場合に、略ラグビーボール形状である。即ち、緊縮捲回部２１ｂにおいて、第１被覆層２１の外表面の最大径が最も小さくなり、この緊縮捲回部２１ｂからなだらかに断面径（第１被覆層２１の外表面の最大径）が大きくされ、最大外径から、また、なだらかに断面径が小さくされて、緊縮捲回部２１ｂに至る繰り返しによって形成されている。従って、第１紐材２においては、係止瘤２１ａと緊縮捲回部２１ｂとが交互に配置されている。係止瘤２１ａの最大外径は４．０ｍｍ、緊縮捲回部２１ｂの最大外径は２．０ｍｍである。
【００３５】
留具３は、延伸可能な第２紐材３０を編み込んで、その外形が略球形状に形成されている。そして、第１紐材２を挿通できる挿通孔３ｈを有しており、隣接された２つの係止瘤２１ａ間で係止されるように、その内径が係止瘤２１ａの外形より狭く形成されている。  具体的には、第２紐材３０を編み込むと、略球形状に形成された留具３には、その外表面に複数の編目３ｋが配置されることとなる（図２参照）。留具３は、延伸可能な第２紐材３０で形成されているため、編目３ｋは詰まっており、外部から留具３の内部を視認できない程度であるが、所望の編目３ｋを広げることによって、２本の第１紐材２を挿通する挿通孔３ｈとなる。
【００３６】
第２紐材３０は、延伸可能な１本の天然ゴム製の第２ゴム芯３５、及び、第２ゴム芯３５を被覆するようにレーヨン糸を編んで形成された第２被覆層３１を有している。レーヨン糸であるため、光沢を出すことができ、留具の装飾効果を一層際立たせることができる。
第２紐材３０の太さは１．５ｍｍであり、第２ゴム芯３５の太さは０．８ｍｍである。第１の紐材２の２つの端部２ｅ（両端）を引き揃えて飾り玉としての留具３の挿通孔３ｈに挿通させる。そして、３個の留具３それぞれを係止瘤２１ａ、２１ａ間に所望の間隔で係止させて、飾り玉付きのネックレスとなる。図４に示すように首に装着して楽しむことができる。
【００３７】
［２］アクセサリ４
図５に示すように、アクセサリ４は装飾具のイヤリングとして具体化している。
アクセサリ２は、第１紐材２と、第１紐材２を挿通できる挿通孔３ｈを有する留具３と、を有する。
第１の紐材２０、留具３については、アクセサリ１と同様であり、その説明を省略する。
第１紐材２０の２つの端部２ｅ（両端）を引き揃えて飾り玉としての留具３の挿通孔３ｈに挿通させる。留具３それぞれを係止瘤２１ａ、２１ａ間に係止させて、第１紐材２を、緊縮捲回部２１ｂにおいて二つ折りにして形成した引き輪を介してイヤリング用金具９に取り付けることにより、飾り玉付きのイヤリングとなる。図４に示すように耳に装着して楽しむことができる。
【００３８】
［３］アクセサリ６
図６に示すように、アクセサリ６はストラップとして具体化している。
アクセサリ６は、第１の紐材２と、第１の紐材２を挿通できる挿通孔７ｈを有する留具７と、を有する。
第１紐材２は、アクセサリ１及び４の第１紐材２と同様であるため、その説明を省略する。
留具７は、第３紐材７０が、螺旋形状に形成されるとともに、その螺旋中心に内径５ｍｍの挿通孔７ｈを有するように形成されている。第３紐材７０の太さは最大外径３．０ｍｍである。
第３紐材７０は、延伸可能な第３ゴム芯７５、及び、第３ゴム芯７５を被覆するように糸を編んで形成された第３被覆層７１を有する。更に被覆層７１の内部に紐部材７２を有している。そして、留具７は、隣接された２つの係止瘤２１ａ、２１ａ間で係止されるように、挿通孔７ｈの内径が係止瘤２１ａの外形より狭く形成されている。
【００３９】
第３のゴム芯７５は、３本の天然ゴム製の糸からなる。第３のゴム芯の横断面形状は略正方形で、それぞれの横断面の最大外径は１．０ｍｍである。
第３の被覆層７１は、第３のゴム芯７５を被覆するように糸を編んで形成されている。  このようにゴム芯７５を被覆層７１内部の径方向に偏在して形成することで、第３の紐材７０がゴム芯７５側に丸まって螺旋形状を形成することができる。
更に、第３被覆層７１の内部に紐部材７２を編み込むことで、更に螺旋形状を安定的に保持している。第３被覆層７１を形成する糸は、ウーリーナイロンである。
第１紐材２の２つの端部２ｅ（両端）を引き揃えて飾り部材としての留具７の挿通孔７ｈに挿通させる。留具７を係止瘤２１ａ、２１ａ間に係止させると、ストラップとなる。
例えば、スマートフォンなどを吊り下げて使用することができる。
【符号の説明】
【００４０】
１；アクセサリ（ネックレス）、
２；第１紐材、２ｅ；第１紐材の端部
２１；第１被覆層、２１ａ；係止瘤、２１ｂ；緊縮捲回部、
２５；第１ゴム芯、
３；留具、３ｈ；挿通孔、編目；３ｋ、
３０；第２紐材、
３１；第２被覆層、
３５；第２ゴム芯、
４；アクセサリ（イヤリング）、
６；アクセサリ（ストラップ）、
７；留具、７ｈ；挿通孔、
７０；第３紐材、
７１；第３被覆層、
７５；第３ゴム芯。
【図１】
0003199911.tif 000003
【図２】
0003199911.tif 000004
【図３】
0003199911.tif 000005
【図４】
0003199911.tif 000006
【図５】
0003199911.tif 000007
【図６】
0003199911.tif 000008
【図７】
0003199911.tif 000009